(57)【要約】      （修正有）【課題】アルファベット音声入力翻訳機の提供。【解決手段】本体内にはマイクロプロセッサー、メモリ、集音部品、スピーカーなどの部品により組成する制御回路を設置する。これにより使用者は英単語のアルファベットを一つ一つ発音し、集音部品により取り入れ後、制御回路による識別、比較対照により、該各アルファベットを組み合わせ後の単語の正確な発音、及び翻訳後の単語の発音をスピーカーから発声し、アルファベット音声入力と即時翻訳の効果を達成する。【選択図】図１
0003132746.tif 000002
【実用新案登録請求の範囲】
【請求項１】
本体を設置し、該本体内にはマイクロプロセッサー、メモリ、集音部品、スピーカーなどの部品により組成する制御回路を設置し、該本体には多数の制御ボタンを設置し、
これにより使用者は英単語のアルファベットを一つ一つ発音し、集音部品により取り入れた後、識別、比較対照し、入力されたアルファベットを翻訳し、翻訳した単語をディスプレーに表示し、またスピーカーにより発音することを特徴とするアルファベット音声入力翻訳機。
【請求項２】
請求項１記載のアルファベット音声入力翻訳機において、前記集音部品は該本体に固定し、或いは該本体に骨伝導式マイクとして連接することを特徴とするアルファベット音声入力翻訳機。
【考案の詳細な説明】
【技術分野】
【０００１】
本考案は一種のアルファベット音声入力翻訳機に関する。特に一種の音声により英単語を入力し即時翻訳効果を達成し、しかもその操作は迅速かつ便利であるアルファベット音声入力翻訳機に係る。
【背景技術】
【０００２】
現在市販されている翻訳機の多くは、英中、英日、英韓などの機能に関わらず、その操作方式は機体のキーボードにおいて文字を入力し或いはモニタに触れ文字を選択し、翻訳機が翻訳するものである。この種の方式は、視覚及び手指による接触を考慮する必要があるため、体積が比較的大きく、操作は不便である。
別に、走査、撮影の方式により字形を読み込む方式で翻訳を行う機種もあるが、近距離でしか使用できないという欠点があり、しかも字形、字体の大きさにより、入力困難或いは入力できないなどの問題がしばしば起こり、理想的とは言えない。
【考案の開示】
【考案が解決しようとする課題】
【０００３】
本考案アルファベット音声入力翻訳機を提供し、翻訳機はアルファベットを一つ一つ発音し入力することで、翻訳の効果を達成することができ、翻訳機の使用はいっそう便利となり、
すなわち、それは本体を設置し、該本体内にはマイクロプロセッサー、メモリ、集音部品、スピーカーなどの部品により組成する制御回路を設置し、
これにより使用者は英単語のアルファベットを一つ一つ発音し、集音部品により取り入れた後、制御回路による識別、比較対照により、該各アルファベットを組み合わせ後の単語の正確な発音、及び翻訳後の単語の発音をスピーカーから発声し、
該翻訳機構造の集音部品は該本体に設置する固定式マイク、或いは該本体に挿入接続する骨伝導式マイクで、
該翻訳機構造はスクリーンを含み、入力されたアルファベット及び翻訳後の単語を表示するアルファベット音声入力翻訳機を提供する。
【課題を解決するための手段】
【０００４】
請求項１の考案は、本体を設置し、該本体内にはマイクロプロセッサー、メモリ、集音部品、スピーカーなどの部品により組成する制御回路を設置し、該本体には多数の制御ボタンを設置し、
これにより使用者は英単語のアルファベットを一つ一つ発音し、集音部品により取り入れた後、識別、比較対照し、入力されたアルファベットを翻訳し、翻訳した単語をディスプレーに表示し、またスピーカーにより発音することを特徴とするアルファベット音声入力翻訳機としている。
請求項２の考案は、請求項１記載のアルファベット音声入力翻訳機において、前記集音部品は該本体に固定し、或いは該本体に骨伝導式マイクとして連接することを特徴とするアルファベット音声入力翻訳機としている。
【考案の効果】
【０００５】
本考案の音声入力は個人の使用を主とし、大衆向けの音声識別システムではないため、識別は容易で、精度は高く、しかも入力は簡単便利で迅速で、読み取り、音声を発することができれば即使用可能である。さらに、キーボード操作が不要であるため、体積を縮小可能で、携帯に便利で、しかも価格を引き下げることができる。また入力は便利で、英語を完全に身につけていない使用者でも単一アルファベットを読むことができれば翻訳可能で、単語入力の障害を取り除くことができる。さらに使用者は歩いている時などに目にした看板、道路標識、公告などのあらゆる文字を、リアルタイムで音声入力し翻訳することができるため、歩行や走行の安全に影響を及ぼさず、しかも翻訳は最適な機動性を備える。また現在既に成熟している音声識別技術及び翻訳機能技術を応用するため、製造コストは低廉で、商品化が容易である。
【考案を実施するための最良の形態】
【０００６】
図１、２に示すように、本考案は本体１を設置する。
該本体１内には制御回路２を設置し、該制御回路２にはマイクロプロセッサー２１を設置し、該マイクロプロセッサー２１はメモリ２２、LCDディスプレー２３、駆動回路２０、集音部品２４に連接するフロント回路２５、スピーカー２６に連接する拡大回路２７をそれぞれ連接する。
該マイクロプロセッサー２１はさらに多数の制御ボタン２８、２９、３０、３１を連接する。該集音部品２４はマイクである。
【０００７】
上記構成部品の組み合わせにより、アルファベット音声入力翻訳機を構成する。使用者が英単語のアルファベットを一つ一つ発音すると、該本体１の集音部品２４はそれを取り入れ、該マイクロプロセッサー２１に入力し、該各アルファベットを識別、比較対照し、入力されたアルファベットを組み合わせる。さらにこれを翻訳し、翻訳後の言葉を該LCDディスプレー２３に表示し、該スピーカー２６により発声する。こうしてアルファベット音声入力即時翻訳の効果を達成する。
【０００８】
図３に示すように、本考案の使用時には、翻訳しようとする単語のアルファベットを音声（A〜Z）により一つ一つ入力し、入力後、スクリーンに表示し、確認後に保存し、音声識別を行い、該単語を翻訳する。翻訳後は、該言葉を選択項目によりディスプレーに表示し、スピーカーにより音声を発する。こうして使用者に正確な言葉の意味と発音を告知する。
【０００９】
上記操作過程において、もし入力した単語が翻訳不能である時には、相似した言葉を探し出す。しかも該単語が見つからない時には、元の入力状態を回復し、使用者は新たに入力することができる。
【００１０】
図４に示すように、本考案の使用時には、該本体１は骨伝導式マイク３及びイヤホーン４を挿入接続し、翻訳機の使用をさらに便利にすることができる。
この他、本考案は英中、英日、英韓など様々な言語の翻訳に応用可能で、非常に実用的である。
【図面の簡単な説明】
【００１１】
【図１】本考案の立体図である。
【図２】本考案の回路ブロックチャートである。
【図３】本考案の操作フローチャートである。
【図４】本考案の別種の使用実施例図である。
【符号の説明】
【００１２】
１  本体
２  制御回路
２０  駆動回路
２１  マイクロプロセッサー
２２  メモリ
２３  LCDディスプレー
２４  集音部品
２５  フロント回路
２６  スピーカー
２７  拡大回路
２８  制御ボタン
２９  制御ボタン
３  骨伝導式マイク
３０  制御ボタン
３１  制御ボタン
４  イヤホーン
【図１】
0003132746.tif 000003
【図２】
0003132746.tif 000004
【図３】
0003132746.tif 000005
【図４】
0003132746.tif 000006